(57)【特許請求の範囲】
【請求項１】
走行駆動装置により全方向に自走可能で且つ車両下部に進入可能な台車本体と、
該台車本体の台車フレームに連結部材を介して取り付けられるリフターフレームに、前記台車フレームの側面に沿う格納位置と前記車両の各車輪を前後から挟み付けるように支持しつつリフトアップする展開位置との間で回動自在な一対のリフトバーを、前記車両の車輪に対応させて枢着することによって形成したリフターと
を備え、
前記走行駆動装置を、前記台車フレームに水平旋回自在に取り付けられた転向フレームの中心部に、走行車輪を回転駆動自在に配設した走行ユニットにより構成し、該走行ユニットを台車フレームの前後方向へ二基配設し、各走行ユニットの走行車輪と転向フレームとを、遠隔操作器により走行経路に応じて速度調整しつつ回転駆動するよう構成し、
前記台車本体を前進・後退させる走行方向と、該走行方向に対し直交する左右方向へ台車本体を横行させる横行方向と、前記台車本体を斜行させる斜行方向とに対応させて、操作器本体からジョイスティックを傾動自在に突設し、該ジョイスティックの基点からの傾斜角度に応じて前記台車本体の各方向への速度を調整自在とすることにより、前記遠隔操作器を構成し、
前記遠隔操作器の操作器本体に走行曲釦と横行曲釦と旋回釦とを配設し、
前記走行曲釦を押した状態でジョイスティックを基点から傾斜させる方向及び角度に応じて前記台車本体の湾曲走行における湾曲方向と曲率と湾曲走行速度とを調整自在とし、
前記横行曲釦を押した状態でジョイスティックを基点から傾斜させる方向及び角度に応じて前記台車本体の湾曲横行における湾曲方向と曲率と湾曲横行速度とを調整自在とし、
前記旋回釦を押した状態でジョイスティックを基点から傾斜させる方向及び角度に応じて前記台車本体の旋回方向と旋回速度とを調整自在とするよう構成したことを特徴とする車両搬送装置。
【発明の詳細な説明】
【技術分野】
【０００１】
本発明は、車両搬送装置に関するものである。
【背景技術】
【０００２】
従来、任意の位置に停車した車両を駐車施設における所定位置に搬送できるようにした入出車装置の一般的技術水準を示すものとしては、例えば、特許文献１がある。
【０００３】
特許文献１に示される装置は、それぞれ車両支持機構及び走行機構を備える左側搬送台車と右側搬送台車とからなり、該左側搬送台車と右側搬送台車とがそれぞれ独立して移動しつつ、協働して車両を支持し、搬送するようになっている。
【０００４】
前記左側搬送台車と右側搬送台車は、無線通信によってリアルタイムに情報交換を行うことにより、協働している。
【先行技術文献】
【特許文献】
【０００５】
【特許文献１】特開２００４−１６９４５１号公報
【発明の概要】
【発明が解決しようとする課題】
【０００６】
しかしながら、特許文献１に示されるような搬送台車では、車両の左右両側に充分な空きスペースがない場合、該車両の左右両側に搬送台車が寄り付くことができず、車両を搬送することができなくなるという欠点を有していた。
【０００７】
又、車両の試験設備等においては、作業員が数人で車両を押しながら移動させることもあり、このような場合、作業員の負担が大きく、手間と時間がかかってしまうため、簡単な構成で車両を確実に搬送できる装置の開発が望まれていた。
【０００８】
尚、床面に貼り付けられた誘導テープに沿って走行する無軌道床上自動搬送車（AGV:Automatic Guided Vehicle）を前記車両の試験設備等に適用することも可能ではあるが、この場合、車両を予め設定された走行経路で且つ決められた速度パターンで搬送する形となるため、その条件が少しでも崩れると車両を搬送することが難しくなる一方、手動操作でも限られた操作しかできないことが多くなっていた。
【０００９】
本発明は、斯かる実情に鑑み、車両の左右両側に充分な空きスペースがなくても、簡単な構成で車両を確実に且つ走行経路と速度パターンを自由に選択しつつ搬送し得、搬送作業の効率向上を図り得る車両搬送装置を提供しようとするものである。
【課題を解決するための手段】
【００１０】
本発明は、走行駆動装置により全方向に自走可能で且つ車両下部に進入可能な台車本体と、
該台車本体の台車フレームに連結部材を介して取り付けられるリフターフレームに、前記台車フレームの側面に沿う格納位置と前記車両の各車輪を前後から挟み付けるように支持しつつリフトアップする展開位置との間で回動自在な一対のリフトバーを、前記車両の車輪に対応させて枢着することによって形成したリフターと
を備え、
前記走行駆動装置を、前記台車フレームに水平旋回自在に取り付けられた転向フレームの中心部に、走行車輪を回転駆動自在に配設した走行ユニットにより構成し、該走行ユニットを台車フレームの前後方向へ二基配設し、各走行ユニットの走行車輪と転向フレームとを、遠隔操作器により走行経路に応じて速度調整しつつ回転駆動するよう構成し、
前記台車本体を前進・後退させる走行方向と、該走行方向に対し直交する左右方向へ台車本体を横行させる横行方向と、前記台車本体を斜行させる斜行方向とに対応させて、操作器本体からジョイスティックを傾動自在に突設し、該ジョイスティックの基点からの傾斜角度に応じて前記台車本体の各方向への速度を調整自在とすることにより、前記遠隔操作器を構成し、
前記遠隔操作器の操作器本体に走行曲釦と横行曲釦と旋回釦とを配設し、
前記走行曲釦を押した状態でジョイスティックを基点から傾斜させる方向及び角度に応じて前記台車本体の湾曲走行における湾曲方向と曲率と湾曲走行速度とを調整自在とし、
前記横行曲釦を押した状態でジョイスティックを基点から傾斜させる方向及び角度に応じて前記台車本体の湾曲横行における湾曲方向と曲率と湾曲横行速度とを調整自在とし、
前記旋回釦を押した状態でジョイスティックを基点から傾斜させる方向及び角度に応じて前記台車本体の旋回方向と旋回速度とを調整自在とするよう構成したことを特徴とする車両搬送装置にかかるものである。
【００１１】
上記手段によれば、以下のような作用が得られる。
【００１２】
車両を搬送する際には、台車本体を車両下部に進入させ、リフターのリフトバーを格納位置から回動させ、各車輪を前後から挟み付けるように支持しつつリフトアップする展開位置まで回動させると、車両がリフターによって支持され、この状態で、台車フレームの前後方向へ二基配設した各走行ユニットの走行車輪と転向フレームとを、遠隔操作器にて走行経路に応じて速度調整しつつ回転駆動することにより台車本体を自走させれば、車両を搬送することが可能となる。
【００１３】
この結果、特許文献１に示されるような搬送台車とは異なり、車両の左右両側に充分な空きスペースがなくても、車両の前後の少なくとも一方には必ずスペースはあるため、台車本体を車両下部に進入させることさえできれば、車両を搬送することができなくなる心配はない。
【００１４】
又、本発明の車両搬送装置を車両の試験設備等において利用すれば、作業員が数人で車両を押しながら移動させなくて済み、作業員の負担が大幅に軽減され、手間と時間がかからなくなり、作業効率を向上させることが可能となる。
【００１５】
更に又、床面に貼り付けられた誘導テープに沿って走行する無軌道床上自動搬送車を前記車両の試験設備等に適用するのに比べ、車両を予め設定された走行経路に限定されることなく、状況に応じた最適な速度パターンで搬送することが可能となり、搬送作業を非常に効率よく行えるようになる。
【発明の効果】
【００１８】
本発明の車両搬送装置によれば、車両の左右両側に充分な空きスペースがなくても、簡単な構成で車両を確実に且つ走行経路と速度パターンを自由に選択しつつ搬送し得、搬送作業の効率向上を図り得るという優れた効果を奏し得る。
【図面の簡単な説明】
【００１９】
【図１】本発明の車両搬送装置の実施例を示す平面図である。
【図２】本発明の車両搬送装置の実施例を示す側面図である。
【図３】本発明の車両搬送装置の実施例を示す後面図である。
【図４】本発明の車両搬送装置の実施例における台車フレームとリフターフレームとをつなぐ連結部材を示す側面図であって、図１のＩＶ−ＩＶ矢視相当図である。
【図５】本発明の車両搬送装置の実施例における遠隔操作器の操作と該操作による台車本体の動作（走行）とを示す概要図である。
【図６】本発明の車両搬送装置の実施例における遠隔操作器の操作と該操作による台車本体の動作（横行）とを示す概要図である。
【図７】本発明の車両搬送装置の実施例における遠隔操作器の操作と該操作による台車本体の動作（左斜め前方及び右斜め後方への斜行）とを示す概要図である。
【図８】本発明の車両搬送装置の実施例における遠隔操作器の操作と該操作による台車本体の動作（右斜め前方及び左斜め後方への斜行）とを示す概要図である。
【図９】本発明の車両搬送装置の実施例における遠隔操作器の操作と該操作による台車本体の動作（左方への湾曲走行）とを示す概要図である。
【図１０】本発明の車両搬送装置の実施例における遠隔操作器の操作と該操作による台車本体の動作（右方への湾曲走行）とを示す概要図である。
【図１１】本発明の車両搬送装置の実施例における遠隔操作器の操作と該操作による台車本体の動作（前方への湾曲横行）とを示す概要図である。
【図１２】本発明の車両搬送装置の実施例における遠隔操作器の操作と該操作による台車本体の動作（後方への湾曲横行）とを示す概要図である。
【図１３】本発明の車両搬送装置の実施例における遠隔操作器の操作と該操作による台車本体の動作（時計回り方向への旋回）とを示す概要図である。
【図１４】本発明の車両搬送装置の実施例における遠隔操作器の操作と該操作による台車本体の動作（反時計回り方向への旋回）とを示す概要図である。
【図１５】本発明の車両搬送装置の実施例における台車本体の動作の一例（湾曲走行）を示す概要図である。
【図１６】本発明の車両搬送装置の実施例における台車本体の動作の一例（湾曲横行）を示す概要図である。
【図１７】本発明の車両搬送装置の実施例における台車本体の動作の一例（走行ライン変更）を示す概要図である。
【図１８】本発明の車両搬送装置の実施例における台車本体の動作の一例（横行ライン変更）を示す概要図である。
【図１９】本発明の車両搬送装置の実施例における台車本体の動作の一例（走行と横行の組み合わせ）を示す概要図である。
【発明を実施するための形態】
【００２０】
以下、本発明の実施の形態を添付図面を参照して説明する。
【００２１】
図１〜図１９は本発明の車両搬送装置の実施例であって、１は車両であり、走行駆動装置２により全方向に自走可能で且つ車両１下部に進入可能な台車本体３に、車両１をリフトアップするリフター４を設けたものである。
【００２２】
前記台車本体３は、車両１の前後方向へ延びる台車フレーム３ａの複数所要箇所にキャスタ３ｂを取り付けると共に、該台車フレーム３ａの前後方向中間部に走行駆動装置２を設けてある。
【００２３】
前記リフター４は、台車本体３の台車フレーム３ａの前部と後部（長手方向両端部）にそれぞれ連結部材５を介して取り付けられるリフターフレーム４ａに、前記台車フレーム３ａの側面に沿う格納位置と前記車両１の各車輪１ａを前後から挟み付けるように支持しつつリフトアップする展開位置との間で回動自在な一対のリフトバー４ｂを、前記車両１の車輪１ａに対応させて枢着することによって形成してある。
【００２４】
本実施例の場合、前記車両１の車輪１ａに対応させて一対のリフトバー４ｂを配設してあるが、その駆動に関しては、車輪１ａの前側（図１の右側）に配設される左右二本のリフトバー４ｂを一組とし、且つ車輪１ａの後側（図１の左側）に配設される左右二本のリフトバー４ｂを一組とし、該左右一組としたリフトバー４ｂの枢着点から張り出すリンク４ｃの先端部間に、車両１幅方向へ延びる油圧シリンダ６のシリンダ本体６ａ基端とロッド６ｂ先端とを掛け渡すように連結し、該油圧シリンダ６を収縮させることにより、前記リフトバー４ｂを台車フレーム３ａの側面に沿う格納位置に回動させる一方、前記油圧シリンダ６を伸長させることにより、前記リフトバー４ｂを車両１の各車輪１ａの下側を前後から挟み付けるように支持しつつリフトアップする展開位置に回動させるようにしてある。尚、前記リフターフレーム４ａの複数所要箇所、並びにリフトバー４ｂの先端部にはそれぞれ、車両１の荷重を支持するキャスタ４ｄを取り付けてある。
【００２５】
前記走行駆動装置２は、前記台車フレーム３ａに対して水平旋回自在に取り付けられた円板状の転向フレーム２ａの中心部に、走行車輪２ｂをモータ２ｃにより減速機２ｄを介して回転駆動自在に配設した走行ユニット２Ａにより構成し、該走行ユニット２Ａを台車フレーム３ａの前後方向へ所要の間隔をあけて二基配設し、各走行ユニット２Ａの転向フレーム２ａの外周に設けたリングギヤ２ｅにそれぞれ転向駆動ピニオン２ｆを噛合させ、該転向駆動ピニオン２ｆを図示していないモータにより減速機を介して回転駆動することにより、前記各走行ユニット２Ａの転向フレーム２ａを個別に旋回させるよう構成してある。
【００２６】
前記連結部材５は、図４に示す如く、前記台車フレーム３ａに設けられ且つ上下方向へ延びるピン５ａと、前記リフターフレーム４ａに設けられ且つ前記ピン５ａに嵌装されるブラケット５ｂとから構成し、前記リフター４に加わる車両１の荷重を前記台車本体３の走行駆動装置２に伝えないよう構成してある。尚、前記上下方向へ延びるピン５ａを台車フレーム３ａの代わりにリフターフレーム４ａに設け、前記ピン５ａに嵌装されるブラケット５ｂをリフターフレーム４ａの代わりに台車フレーム３ａに設けて前記連結部材５を構成することも可能である。
【００２７】
又、前記台車本体３の台車フレーム３ａ後部には、図１及び図３に示す如く、前記油圧シリンダ６への圧油の給排を油圧配管系統７ａを介して行う油圧ユニット７と、前記台車本体３並びにリフター４の動作を制御する制御機器８と、該制御機器８やモータ２ｃに通電を行う鉛蓄電池等のバッテリー９とを搭載してある。
【００２８】
一方、前記台車本体３並びにリフター４の動作は、遠隔操作器１０によって作業員が遠隔操作できるようにしてあり、該遠隔操作器１０は、図５〜図１４に示す如く、前記台車本体３を前進・後退させる走行方向と、該走行方向に対し直交する左右方向へ台車本体３を横行させる横行方向と、前記台車本体３を斜行させる斜行方向とに対応させて、操作器本体１０ａからジョイスティック１０ｂを傾動自在に突設し、該ジョイスティック１０ｂの基点Ｏからの傾斜角度に応じて前記台車本体３の各方向への速度を調整自在としてある。
【００２９】
又、前記遠隔操作器１０の操作器本体１０ａには、走行曲釦１０ｃと横行曲釦１０ｄと旋回釦１０ｅとを配設し、前記走行曲釦１０ｃを押した状態でジョイスティック１０ｂを基点Ｏから傾斜させる方向及び角度に応じて前記台車本体３の湾曲走行における湾曲方向と曲率と湾曲走行速度とを調整自在とし、前記横行曲釦１０ｄを押した状態でジョイスティック１０ｂを基点Ｏから傾斜させる方向及び角度に応じて前記台車本体３の湾曲横行における湾曲方向と曲率と湾曲横行速度とを調整自在とし、前記旋回釦１０ｅを押した状態でジョイスティック１０ｂを基点Ｏから傾斜させる方向及び角度に応じて前記台車本体３の旋回方向と旋回速度とを調整自在とするよう構成してある。
【００３０】
尚、前記遠隔操作器１０には、図示していないが、メイン電源のオン・オフを行う電源スイッチ、該電源スイッチをオンにした際に点灯する電源表示灯、前記リフター４のリフトバー４ｂを格納位置に回動させるリフター格納ボタン、前記リフター４のリフトバー４ｂのうち車両１の後側の車輪１ａの後方に配置されるリフトバー４ｂのみを単独で展開位置に回動させるリフター単独展開ボタン、前記リフター４のリフトバー４ｂ全部を展開位置に回動させるリフター全部展開ボタン、緊急時に台車本体３並びにリフター４の動作を停止させる非常停止ボタンが設けられている。
【００３１】
又、前記台車本体３の台車フレーム３ａにおける上面の複数所要箇所には、図１及び図２に示す如く、車両１下面に接触した場合にオンとなって車両１に対し台車フレーム３ａが干渉していることを知らせるテープ状スイッチ１１を貼り付けてある。
【００３２】
又、前記台車本体３の台車フレーム３ａ後部に搭載された制御機器８の車両１と対面する所要箇所には、該車両１との距離が設定値未満となった際に警報を発する超音波センサ１２を取り付けてある。
【００３３】
次に、上記実施例の作用を説明する。
【００３４】
車両１を搬送する際には、先ず、遠隔操作器１０の電源スイッチ（図示せず）をオンにし、台車本体３を車両１の後方に位置させ、リフター４のリフトバー４ｂを全て格納位置に回動させた状態から、リフター単独展開ボタン（図示せず）を押してリフター４のリフトバー４ｂのうち車両１の後側の車輪１ａの後方に配置されるリフトバー４ｂのみを単独で展開位置に回動させておく。
【００３５】
続いて、前記遠隔操作器１０のジョイスティック１０ｂを走行方向における前進方向へ傾斜させると、図１に示す状態から、走行駆動装置２の二基の走行ユニット２Ａの転向フレーム２ａが右回転（右旋回）する方向（時計回り方向）へ回転駆動され、走行駆動装置２の二基の走行ユニット２Ａの走行車輪２ｂの向きが９０°転向されると共に、該走行車輪２ｂが回転駆動され、台車本体３が前進し、これにより、該台車本体３を車両１下部に進入させることが可能となる。
【００３６】
ここで、前記リフター４のリフトバー４ｂのうち車両１の後側の車輪１ａの後方に配置されるリフトバー４ｂのみを単独で展開位置に回動させてあるため、該リフトバー４ｂが車両１の後側の車輪１ａに接触する位置まで前記台車本体３を前進させ停止させるようにすれば、特別なセンサ等を用いなくても、車両１に対する台車本体３の位置決めを簡単且つ自動的に行うことができる。
【００３７】
この状態から、前記遠隔操作器１０のリフター全部展開ボタン（図示せず）を押すと、既に展開位置にあるリフター４のリフトバー４ｂを除く残りのリフトバー４ｂ全部が格納位置から展開位置に回動するため、各車輪１ａの下側を前後から挟み付けるように支持しつつリフトアップすることが可能となる。
【００３８】
次に、前記遠隔操作器１０のジョイスティック１０ｂを、図５に示す如く、走行方向における前進方向（図５においては右方向）へ傾斜させれば、台車本体３上の車両１（図２参照）を前進させる方向へ搬送することが可能となり、前記遠隔操作器１０のジョイスティック１０ｂを走行方向における後退方向（図５においては左方向）へ傾斜させれば、台車本体３上の車両１（図２参照）を後退させる方向へ搬送することが可能となる。尚、前記ジョイスティック１０ｂを走行方向へ倒す角度を大きくするほど、それに比例して走行速度が増加する。
【００３９】
又、前記遠隔操作器１０のジョイスティック１０ｂを、図６に示す如く、横行方向における左方向（図６においては上方向）へ傾斜させると、前記走行駆動装置２の二基の走行ユニット２Ａの転向フレーム２ａの旋回により走行車輪２ｂの向きが横行方向へ転向され、台車本体３上の車両１（図２参照）を左に横行させる方向へ搬送することが可能となり、前記遠隔操作器１０のジョイスティック１０ｂを横行方向における右方向（図６においては下方向）へ傾斜させると、台車本体３上の車両１（図２参照）を右に横行させる方向へ搬送することが可能となる。尚、前記ジョイスティック１０ｂを横行方向へ倒す角度を大きくするほど、それに比例して横行速度が増加する。
【００４０】
更に又、前記遠隔操作器１０のジョイスティック１０ｂを、図７に示す如く、左斜め前方（図７においては右斜め上方向）の斜行方向へ傾斜させると、前記走行駆動装置２の二基の走行ユニット２Ａの転向フレーム２ａの旋回により走行車輪２ｂの向きが左斜め前方の斜行方向へ転向され、台車本体３上の車両１（図２参照）を左斜め前方に斜行させる方向へ搬送することが可能となり、前記遠隔操作器１０のジョイスティック１０ｂを右斜め後方（図７においては左斜め下方向）の斜行方向へ傾斜させると、台車本体３上の車両１（図２参照）を右斜め後方に斜行させる方向へ搬送することが可能となる。前記遠隔操作器１０のジョイスティック１０ｂを、図８に示す如く、右斜め前方（図８においては右斜め下方向）の斜行方向へ傾斜させると、前記走行駆動装置２の二基の走行ユニット２Ａの転向フレーム２ａの旋回により走行車輪２ｂの向きが右斜め前方の斜行方向へ転向され、台車本体３上の車両１（図２参照）を右斜め前方に斜行させる方向へ搬送することが可能となり、前記遠隔操作器１０のジョイスティック１０ｂを左斜め後方（図８においては左斜め上方向）の斜行方向へ傾斜させると、台車本体３上の車両１（図２参照）を左斜め後方に斜行させる方向へ搬送することが可能となる。尚、前記ジョイスティック１０ｂを斜行方向へ倒す角度を大きくするほど、それに比例して斜行速度が増加する。
【００４１】
一方、図９に示す如く、前記走行曲釦１０ｃを押し、前記遠隔操作器１０のジョイスティック１０ｂを横行方向における左方向（図９においては上方向）へ傾斜させると、前記走行駆動装置２の二基の走行ユニット２Ａの転向フレーム２ａの旋回により走行車輪２ｂの向きが前後で相反する角度（図９では逆ハの字状となる角度）に転向され、この状態で、前記遠隔操作器１０のジョイスティック１０ｂを走行方向における前進方向へ傾斜させれば、台車本体３上の車両１（図２参照）を左斜め前方へカーブさせる形で前進させる方向へ搬送することが可能となる。前記走行車輪２ｂの向きが逆ハの字状に転向された状態で、前記遠隔操作器１０のジョイスティック１０ｂを走行方向における後退方向へ傾斜させれば、台車本体３上の車両１（図２参照）を左斜め後方へカーブさせる形で後退させる方向へ搬送することが可能となる。尚、前記走行曲釦１０ｃを押した状態で、前記ジョイスティック１０ｂを横行方向へ倒す角度を大きくしていくと、その途中の予め設定された所要箇所までは、該ジョイスティック１０ｂを倒す角度に比例して前記逆ハの字状に転向される走行車輪２ｂの転向角度がきつくなり湾曲走行の曲率半径が小さくなるが、該転向角度には限界値を設定してあり、前記ジョイスティック１０ｂを前記所要箇所を越えて横行方向における左方向へ傾斜させたとしても、前記走行車輪２ｂの転向角度は限界値以上にはならないようにしてある。この場合、前記ジョイスティック１０ｂを走行方向へ倒す角度を大きくするほど、それに比例して走行速度が増加する点は、前記前進・後退の走行時と同様である。
【００４２】
又、図１０に示す如く、前記走行曲釦１０ｃを押し、前記遠隔操作器１０のジョイスティック１０ｂを横行方向における右方向（図１０においては下方向）へ傾斜させると、前記走行駆動装置２の二基の走行ユニット２Ａの転向フレーム２ａの旋回により走行車輪２ｂの向きが前後で相反する角度（図１０ではハの字状となる角度）に転向され、この状態で、前記遠隔操作器１０のジョイスティック１０ｂを走行方向における前進方向へ傾斜させれば、台車本体３上の車両１（図２参照）を右斜め前方へカーブさせる形で前進させる方向へ搬送することが可能となる。前記走行車輪２ｂの向きがハの字状に転向された状態で、前記遠隔操作器１０のジョイスティック１０ｂを走行方向における後退方向へ傾斜させれば、台車本体３上の車両１（図２参照）を右斜め後方へカーブさせる形で後退させる方向へ搬送することが可能となる。尚、前記走行曲釦１０ｃを押した状態で、前記ジョイスティック１０ｂを横行方向へ倒す角度を大きくしていくと、その途中の予め設定された所要箇所までは、該ジョイスティック１０ｂを倒す角度に比例して前記ハの字状に転向される走行車輪２ｂの転向角度がきつくなり湾曲走行の曲率半径が小さくなるが、該転向角度には限界値を設定してあり、前記ジョイスティック１０ｂを前記所要箇所を越えて横行方向における右方向へ傾斜させたとしても、前記走行車輪２ｂの転向角度は限界値以上にはならないようにしてある。この場合、前記ジョイスティック１０ｂを走行方向へ倒す角度を大きくするほど、それに比例して走行速度が増加する点は、前記前進・後退の走行時と同様である。
【００４３】
更に、図１１に示す如く、前記横行曲釦１０ｄを押し、前記遠隔操作器１０のジョイスティック１０ｂを走行方向における前進方向（図１１においては右方向）へ傾斜させると、前記二個の走行車輪２ｂの向きは横行方向へ向いたまま変わらないが、後方に位置する走行車輪２ｂの回転速度が前方に位置する走行車輪２ｂの回転速度より大きく設定され、この状態で、前記遠隔操作器１０のジョイスティック１０ｂを横行方向における左方向（図１１においては上方向）へ傾斜させれば、台車本体３上の車両１（図２参照）を前方へカーブさせる形で左横行させる方向へ搬送することが可能となる。前記後方に位置する走行車輪２ｂの回転速度が前方に位置する走行車輪２ｂの回転速度より大きく設定された状態で、前記遠隔操作器１０のジョイスティック１０ｂを横行方向における右方向（図１１においては下方向）へ傾斜させれば、台車本体３上の車両１（図２参照）を前方へカーブさせる形で右横行させる方向へ搬送することが可能となる。尚、前記横行曲釦１０ｄを押した状態で、前記ジョイスティック１０ｂを走行方向における前進方向へ倒す角度を大きくしていくと、その途中の予め設定された所要箇所までは該ジョイスティック１０ｂを倒す角度に比例して前記後方に位置する走行車輪２ｂと前方に位置する走行車輪２ｂとの回転速度差が大きくなり湾曲横行の曲率半径が小さくなるが、該回転速度差には限界値を設定してあり、前記ジョイスティック１０ｂを前記所要箇所を越えて走行方向における前進方向へ傾斜させたとしても、前記回転速度差は限界値以上にはならないようにしてある。この場合、前記ジョイスティック１０ｂを横行方向へ倒す角度を大きくするほど、それに比例して横行速度が増加する点は、前記横行時と同様である。
【００４４】
又、図１２に示す如く、前記横行曲釦１０ｄを押し、前記遠隔操作器１０のジョイスティック１０ｂを走行方向における後退方向（図１２においては左方向）へ傾斜させると、前記二個の走行車輪２ｂの向きは横行方向へ向いたまま変わらないが、前方に位置する走行車輪２ｂの回転速度が後方に位置する走行車輪２ｂの回転速度より大きく設定され、この状態で、前記遠隔操作器１０のジョイスティック１０ｂを横行方向における左方向（図１１においては上方向）へ傾斜させれば、台車本体３上の車両１（図２参照）を後方へカーブさせる形で左横行させる方向へ搬送することが可能となる。前記前方に位置する走行車輪２ｂの回転速度が後方に位置する走行車輪２ｂの回転速度より大きく設定された状態で、前記遠隔操作器１０のジョイスティック１０ｂを横行方向における右方向（図１１においては下方向）へ傾斜させれば、台車本体３上の車両１（図２参照）を後方へカーブさせる形で右横行させる方向へ搬送することが可能となる。尚、前記横行曲釦１０ｄを押した状態で、前記ジョイスティック１０ｂを走行方向における後退方向へ倒す角度を大きくしていくと、その途中の予め設定された所要箇所までは該ジョイスティック１０ｂを倒す角度に比例して前記前方に位置する走行車輪２ｂと後方に位置する走行車輪２ｂとの回転速度差が大きくなり湾曲横行の曲率半径が小さくなるが、該回転速度差には限界値を設定してあり、前記ジョイスティック１０ｂを前記所要箇所を越えて走行方向における後退方向へ傾斜させたとしても、前記回転速度差は限界値以上にはならないようにしてある。この場合、前記ジョイスティック１０ｂを横行方向へ倒す角度を大きくするほど、それに比例して横行速度が増加する点は、前記横行時と同様である。
【００４５】
更に、図１３に示す如く、前記旋回釦１０ｅを押し、前記遠隔操作器１０のジョイスティック１０ｂを横行方向における右方向（図１３においては下方向）へ傾斜させると、前記二個の走行車輪２ｂの向きは横行方向へ向いたまま変わらないが、前方に位置する走行車輪２ｂが横行方向における右方向へ進行し且つ後方に位置する走行車輪２ｂが横行方向における左方向へ進行するようそれぞれの回転方向が逆向きに設定され、台車本体３上の車両１（図２参照）をその位置で時計回り方向へ旋回させることが可能となる。尚、前記旋回釦１０ｅを押した状態で、前記ジョイスティック１０ｂを横行方向における右方向へ倒す角度を大きくするほど、それに比例して時計回り方向への旋回速度が増加する。
【００４６】
又、図１４に示す如く、前記旋回釦１０ｅを押し、前記遠隔操作器１０のジョイスティック１０ｂを横行方向における左方向（図１４においては上方向）へ傾斜させると、前記二個の走行車輪２ｂの向きは横行方向へ向いたまま変わらないが、前方に位置する走行車輪２ｂが横行方向における左方向へ進行し且つ後方に位置する走行車輪２ｂが横行方向における右方向へ進行するようそれぞれの回転方向が逆向きに設定され、台車本体３上の車両１（図２参照）をその位置で反時計回り方向へ旋回させることが可能となる。尚、前記旋回釦１０ｅを押した状態で、前記ジョイスティック１０ｂを横行方向における左方向へ倒す角度を大きくするほど、それに比例して反時計回り方向への旋回速度が増加する。
【００４７】
そして、例えば、上記の図５及び図１０に示す運転操作を組み合わせることにより、図１５に示す如く、台車本体３を湾曲走行させることが可能となる一方、上記の図６及び図１２に示す運転操作を組み合わせることにより、図１６に示す如く、台車本体３を湾曲横行させることが可能となる。
【００４８】
又、上記の図５及び図８に示す運転操作を組み合わせることにより、図１７に示す如く、台車本体３を走行ライン変更させる形で走行させることが可能となる一方、上記の図６及び図７に示す運転操作を組み合わせることにより、図１８に示す如く、台車本体３を横行ライン変更させる形で横行させることが可能となる。
【００４９】
更に又、上記の図５〜図７に示す運転操作を組み合わせることにより、図１９に示す如く、台車本体３を走行と横行を組み合わせる形で曲線的に移動させることが可能となる。
【００５０】
尚、図１５〜図１９に示すパターン以外にも、必要に応じて台車本体３を複雑な経路で移動させることが可能となることは勿論である。
【００５１】
前記車両１が搭載された台車本体３を所定の位置へ移動させ、必要に応じて車両１の向きを変更した後、前記遠隔操作器１０のリフター格納ボタン（図示せず）を押すと、前記リフター４のリフトバー４ｂが格納位置に回動し、前記車両１がリフトアップされていた状態から地上に降ろされ、この後、前記遠隔操作器１０のジョイスティック１０ｂを走行方向における後退方向（図５においては左方向）へ傾斜させ、台車本体３を後退させると、該台車本体３を車両１下部から引き出すことが可能となり、車両１の搬送が完了する。
【００５２】
尚、上述の例では、前記台車本体３を車両１の後方から進入させる場合について説明したが、該台車本体３を車両１の前方から進入させても同様に車両１の搬送を行えることは言うまでもない。
【００５３】
この結果、特許文献１に示されるような搬送台車とは異なり、車両１の左右両側に充分な空きスペースがなくても、車両１の前後の少なくとも一方には必ずスペースはあるため、台車本体３を車両１下部に進入させることさえできれば、車両１を搬送することができなくなる心配はない。
【００５４】
又、本実施例の車両搬送装置を車両１の試験設備等において利用すれば、作業員が数人で車両１を押しながら移動させなくて済み、作業員の負担が大幅に軽減され、手間と時間がかからなくなり、作業効率を向上させることが可能となる。
【００５５】
更に又、床面に貼り付けられた誘導テープに沿って走行する無軌道床上自動搬送車（AGV:Automatic Guided Vehicle）を前記車両の試験設備等に適用するのに比べ、車両を予め設定された走行経路に限定されることなく、状況に応じた最適な速度パターンで搬送することが可能となり、搬送作業を非常に効率よく行えるようになる。
【００５６】
一方、前記車両搬送装置においては、前記台車フレーム３ａ及びリフターフレーム４ａのいずれか一方に設けられ且つ上下方向へ延びるピン５ａと、前記台車フレーム３ａ及びリフターフレーム４ａのいずれか他方に設けられ且つ前記ピン５ａに嵌装されるブラケット５ｂとから前記連結部材５を構成し、前記リフター４に加わる車両１の荷重を前記台車本体３の走行駆動装置２に伝えないよう構成してあるため、走行駆動装置２の走行車輪２ｂの耐荷重を大きくしなくて済み、該走行車輪２ｂの外径が小さく抑えられ、車両１下部に進入させる必要があることから高さが制限される台車本体３に走行車輪２ｂを搭載する上で有効となる。
【００５７】
こうして、車両１の左右両側に充分な空きスペースがなくても、簡単な構成で車両１を確実に且つ走行経路と速度パターンを自由に選択しつつ搬送し得、搬送作業の効率向上を図り得る。
【００５８】
尚、本発明の車両搬送装置は、上述の実施例にのみ限定されるものではなく、台車フレームに伸縮機構を設けるようにすれば、ホイールベースの異なる車両にも適用可能となること等、その他、本発明の要旨を逸脱しない範囲内において種々変更を加え得ることは勿論である。
【符号の説明】
【００５９】
１    車両
１ａ  車輪
２    走行駆動装置
２Ａ  走行ユニット
２ａ  転向フレーム
２ｂ  走行車輪
３    台車本体
３ａ  台車フレーム
４    リフター
４ａ  リフターフレーム
４ｂ  リフトバー
５    連結部材
５ａ  ピン
５ｂ  ブラケット
６    油圧シリンダ
１０    遠隔操作器
１０ａ  操作器本体
１０ｂ  ジョイスティック
１０ｃ  走行曲釦
１０ｄ  横行曲釦
１０ｅ  旋回釦
Ｏ    基点 
【図１】
0005993608.tif 000002
【図２】
0005993608.tif 000003
【図３】
0005993608.tif 000004
【図４】
0005993608.tif 000005
【図５】
0005993608.tif 000006
【図６】
0005993608.tif 000007
【図７】
0005993608.tif 000008
【図８】
0005993608.tif 000009
【図９】
0005993608.tif 000010
【図１０】
0005993608.tif 000011
【図１１】
0005993608.tif 000012
【図１２】
0005993608.tif 000013
【図１３】
0005993608.tif 000014
【図１４】
0005993608.tif 000015
【図１５】
0005993608.tif 000016
【図１６】
0005993608.tif 000017
【図１７】
0005993608.tif 000018
【図１８】
0005993608.tif 000019
【図１９】
0005993608.tif 000020